(57)【要約】【課題】確実かつユーザにとって容易にバルブシャッター撮影を行うことができる撮像装置を提供する。【解決手段】デジタル一眼レフカメラ１１０が、被写体からの入射光により被写体像を結像する撮影光学系１０２等と、前記入射光に応じて画素信号を出力するイメージセンサ１１６と、前記画素信号を加算し、加算結果を出力するイメージセンサ１１６と、前記加算結果の輝度を算出し、算出結果を出力する評価部３０３と、前記算出結果を表示するインジケータ４００と、前記加算結果に基づいて前記被写体像を表示する液晶パネル１１９と、を備える。【選択図】図１
2010200097.tif 000002
【特許請求の範囲】
【請求項１】
被写体からの入射光により被写体像を結像する光学部と、
前記入射光に応じて画素信号を出力する撮像部と、
前記画素信号を時間的に加算し、加算結果を出力する加算部と、
前記加算結果の輝度を算出し、算出結果を出力する評価部と、
前記算出結果を表示する輝度表示部と、
を備えることを特徴とする撮像装置。
【請求項２】
前記加算部は、前記撮像部に備えられた画素であることを特徴とする請求項１に記載の撮像装置。
【請求項３】
前記評価部は、前記加算結果に基づいてコントラストを算出し、前記輝度表示部に、前記コントラストを表示させることを特徴とする請求項１に記載の撮像装置。
【請求項４】
前記評価部は、前記加算結果に基づいてヒストグラムを算出し、前記輝度表示部に、前記ヒストグラムを表示させることを特徴とする請求項１に記載の撮像装置。
【請求項５】
前記評価部は露光状態を判定し、輝度の最小値が所定の閾値以上となった場合、又は所定の閾値に満たない輝度が存在しない場合、撮影を終了させることを特徴とする請求項１に記載の撮像装置。
【請求項６】
ユーザの操作入力を受け付け、前記操作入力によって前記閾値を取得する操作部を備えることを特徴とする請求項５に記載の撮像装置。
【請求項７】
前記加算結果に基づいて前記被写体像を表示する被写体像表示部を備えることを特徴とする請求項１に記載の撮像装置。
【発明の詳細な説明】
【技術分野】
【０００１】
本発明は、バルブシャッター撮影を行う撮像装置に関する。
【背景技術】
【０００２】
国内外において、バルブシャッター撮影に対応したデジタル一眼レフカメラが広く普及している。バルブシャッター撮影においてデジタル一眼レフカメラは、ユーザによってレリーズ釦が押下操作されている間にシャッターを開放し続け、レリーズ釦が押下操作から解放される（以下、解放操作と称する）とシャッターを閉じることで、数秒から数分の長時間露光による撮影をする。
【０００３】
バルブシャッター撮影を用いた例として、風景等を月光で露光撮影した月光写真、夜間走行する車両のヘッドライトの軌跡を撮影した写真、夜空の星の軌跡を長時間撮影した天体写真などがあり、これらの例が示すように、幻想的な映像を得ることが出来るバルブシャッター撮影には広い需要がある。
【０００４】
しかしながら、バルブシャッター撮影において、ユーザはレリーズ釦を押下操作することによりシャッターの開放時間を自ら調整するため、被写体の明るさに合わせて露光時間を調整する必要がある。例えば月光写真では、露光時間が長すぎると画素が飽和して、いわゆる白とびした被写体像となってしまい、露光時間が短すぎると全体的に暗い被写体像となってしまうという問題があった。
【０００５】
このようにバルブシャッター撮影は、最適な露光時間を計算する必要がある上、数分にわたる露光時間に被写体の明るさも変化し得るため露光時間の微調整も必要であり、バルブシャッター撮影を成功させるには高度な知識が要求される。このため、確実かつユーザにとって容易にバルブシャッター撮影を行えるデジタル一眼レフカメラの実現が期待されている。
【０００６】
従来のデジタル一眼レフカメラは、バルブシャッター撮影の失敗を防止するため、撮影中の被写体像データを加算処理し、その被写体像の露光状態を表示デバイス（液晶パネルや電子ファインダーなど）に表示していた。これによりユーザは、撮影中の露光状態を確認しながらシャッターの開放時間を調整することができた（例えば、特許文献１参照）。
【先行技術文献】
【特許文献】
【０００７】
【特許文献１】特開２００３−６９８９７号公報
【発明の概要】
【発明が解決しようとする課題】
【０００８】
しかしながら、デジタル一眼レフカメラに備えられた液晶パネルや電子ファインダなどの表示デバイスは、解像度が低く、表示できる色調等も粗いことが多い。このためユーザは、被写体像の細部の露光状態を撮影中に確認することができず、撮影中に例えば狭い領域の画素が飽和して白とびが発生しても、バルブシャッター撮影中にそのことに気づかないことがあった。
【０００９】
その場合、バルブシャッター撮影後にユーザが被写体像に白とびが発生していたことに仮に気づいても、白とびは画素が飽和した部分であるため、撮影後に完全な画像補正をすることができない。このためユーザは撮影のやり直しをする必要があり、あるいはタイミングを逃してしまっているため撮影をやり直すことができない場合があった。
【００１０】
本発明は、前記の諸点に鑑みてなされたものであり、確実かつユーザにとって容易にバルブシャッター撮影を行うことができる撮像装置を提供することを目的とする。
【課題を解決するための手段】
【００１１】
本発明は、上記の課題を解決するためになされたものであり、被写体からの入射光により被写体像を結像する光学部と、前記入射光に応じて画素信号を出力する撮像部と、前記画素信号を時間的に加算し、加算結果を出力する加算部と、前記加算結果の輝度を算出し、算出結果を出力する評価部と、前記算出結果を表示する輝度表示部と、を備えることを特徴とする撮像装置である。
【００１２】
また本発明は、前記加算部が、前記撮像部に備えられた画素であることを特徴とする撮像装置である。
【００１３】
また本発明は、前記評価部が、前記加算結果に基づいてコントラストを算出し、前記輝度表示部に、前記コントラストを表示させることを特徴とする撮像装置である。
【００１４】
また本発明は、前記評価部が、前記加算結果に基づいてヒストグラムを算出し、前記輝度表示部に、前記ヒストグラムを表示させることを特徴とする撮像装置である。
【００１５】
また本発明は、前記評価部が露光状態を判定し、輝度の最小値が所定の閾値以上となった場合、又は所定の閾値に満たない輝度が存在しない場合、撮影を終了させることを特徴とする撮像装置である。
【００１６】
また本発明は、ユーザの操作入力を受け付け、前記操作入力によって前記閾値を取得する操作部を備えることを特徴とする撮像装置である。
【００１７】
また本発明は、前記加算結果に基づいて前記被写体像を表示する被写体像表示部を備えることを特徴とする撮像装置である。
【発明の効果】
【００１８】
本発明によれば、撮像装置がバルブシャッター撮影中にインジケータや液晶パネル表示によって露光状態をユーザに通知するので、撮像装置は確実かつユーザにとって容易にバルブシャッター撮影を行うことができる。
【００１９】
また、撮像装置がバルブシャッター撮影中に露光状態を判定することで、予め設定された露光条件を満たすと撮像装置が撮影を終了するので、撮像装置は確実かつユーザにとって容易にバルブシャッター撮影を行うことができる。
【図面の簡単な説明】
【００２０】
【図１】本発明の第１の実施形態のデジタル一眼レフカメラ（撮像装置）の構成を示した図である。
【図２】バルブシャッター撮影におけるフォーカルプレーンシャッターのスライド動作を示した図である。
【図３】非破壊読み出しされるイメージセンサを用いたバルブシャッター撮影における、デジタル一眼レフカメラ（撮像装置）の動作手順を示したフローチャートである。
【図４】バルブシャッター撮影における、インジケータ表示と警告表示を示した図である。
【図５】バルブシャッター撮影における、ヒストグラム表示を示した図である。
【図６】本発明の第２の実施形態のデジタル一眼レフカメラ（撮像装置）の構成を示した図である。
【図７】破壊読み出しされるイメージセンサを用いたバルブシャッター撮影における、デジタル一眼レフカメラ（撮像装置）の動作手順を示したフローチャートである。
【発明を実施するための形態】
【００２１】
[第１の実施形態]
本発明を実施するための第１の実施形態について説明する。図１は、本発明の第１の実施形態のデジタル一眼レフカメラ（撮像装置）の構成を示した図である。当該デジタル一眼レフカメラ１１０は、交換レンズ筐体１０１と、メインミラー１１１と、フォーカシングスクリーン１１２と、ペンタプリズム１１３と、接眼レンズ１１４と、フォーカルプレーンシャッター１１５と、イメージセンサ１１６と、ＳＤＲＡＭ１１８と、液晶パネル１１９と、レリーズ釦１２０と、メモリカード１２１と、光学ファインダ１２３と、制御部３０１と、読出部３０２と、ＳＤＲＡＭインタフェース３０５と、メモリインタフェース３０７と、ドライバ３０６と、システムバス３０８と、画像処理部３０９と、インジケータ４００と、を備える。
【００２２】
交換レンズ筐体１０１は、撮影光学系１０２を備える。撮影光学系１０２は複数のレンズを備え、制御部３０１の制御に応じて光軸方向を移動し、被写体（不図示）からの入射光を集光する。撮影光学系１０２は、イメージセンサ１１６、またはフォーカシングスクリーン１１２に被写体像を結像する。
【００２３】
撮像された画像の表示を繰り返し行う連続画像表示を行うこと、を以下、ライブビューと称する。光軸上に配置されたメインミラー１１１は入射光を反射する。メインミラー１１１は光軸上に配置され、制御部３０１の制御に応じて回動することで光軸上から退避する（以下、アップ状態と称する）。メインミラー１１１は、撮影時またはライブビュー時にアップ状態にされる。
【００２４】
アップ状態のメインミラー１１１は、撮影光学系１０２からの入射光を遮らない。この場合、被写体像は、フォーカルプレーンシャッター１１５またはイメージセンサ１１６に結像される。一方、アップ状態でないメインミラー１１１は入射光を反射し、フォーカシングスクリーン１１２に被写体像を結像させる。
【００２５】
フォーカシングスクリーン１１２は、フォーカシングスクリーン１１２上に被写体像を映し出す。ペンタプリズム１１３は、フォーカシングスクリーン１１２上に映し出された被写体像の上下を反転し、正立した被写体像として接眼レンズ１１４に入射させる。
【００２６】
接眼レンズ１１４は被写体像を拡大し、光学ファインダ１２３に被写体像を結像させる。これにより、ユーザは光学ファインダ１２３を通して被写体像を視認することができる。
【００２７】
フォーカルプレーンシャッター１１５は、先幕１２４と、後幕１２５と、を備える。フォーカルプレーンシャッター１１５は、制御部３０１の制御に応じて、先幕１２４と、後幕１２５と、を独立にスライド動作させる。先幕１２４はスライド動作することで撮影光学系１０２からの入射光を遮る。後幕１２５も同様である。先幕１２４と後幕１２５のスライド動作については、図２に後述する。
【００２８】
イメージセンサ１１６は、キャパシタ（不図示）を含むトランジスタ回路（不図示）と、２次元状に配置された複数の画素（不図示）と、を備える。イメージセンサ１１６が備える画素（不図示）は、入射光量に応じた電荷を生じさせ、画素信号を出力する。
【００２９】
イメージセンサ１１６が備えるキャパシタ（不図示）は、読出部３０２によってリセット操作された場合、画素（不図示）に生じた電荷をリセットする。
【００３０】
イメージセンサ１１６は、例えばＣＭＯＳセンサであって、画素から画素信号を出力しても、電荷をそのまま画素に保持することができる（以下、非破壊読み出しと称する）。したがって、イメージセンサ１１６の画素（不図示）は、フォーカルプレーンシャッター１１５の開放によって画素に生じた電荷を、画素信号を出力した後もそのまま画素に蓄積し続ける。ここで、読出部３０２はフォーカルプレーンシャッター１１５の開放中にキャパシタ（不図示）をリセット操作しないものとする。このためイメージセンサ１１６において、フォーカルプレーンシャッター１１５の開放時間と、画素の露光時間と、は等しい。
【００３１】
レリーズ釦１２０は、ユーザによる押下操作を受け付け、押下操作信号を制御部３０１に出力する。レリーズ釦１２０は、ユーザによる解放操作を受け付け、解放操作終了を示す解放操作信号を制御部３０１に出力する。
【００３２】
制御部３０１は、読出部３０２が画素信号を読み出す周期である所定の読出し周期設定値を読出部３０２に通知する。制御部３０１は、先幕１２４と後幕１２５のスライド動作をフォーカルプレーンシャッター１１５に指示する。押下操作信号を通知された場合、制御部３０１は、メインミラー１１１をアップ状態にする。
【００３３】
一方、解放操作終了を示す解放操作信号を通知され、後幕１２５がスライド動作を終了した場合、制御部３０１は、メインミラー１１１を光軸上に戻す。さらに制御部３０１は、被写体像データをメモリカードインタフェース３０７に出力するよう画像処理部３０９に指示する。
【００３４】
読出部３０２は、制御部３０１から通知された読出し周期設定値に応じて水平同期信号と垂直同期信号を生成し、これらの同期信号に同期してイメージセンサ１１６から画素信号を読み出す。読出部３０２は、読み出した画素信号をＡＤ変換し、システムバス３０８とＳＤＲＡＭインタフェース３０５とを介して、ＡＤ変換後の画素信号をＳＤＲＡＭ１１８に出力する。
【００３５】
システムバス３０８は、データ伝送路である。ＳＤＲＡＭインタフェース３０５は、ＡＤ変換後の画素信号をフォーマット変換し、画素信号データとしてＳＤＲＡＭ１１８に記憶させる。ＳＤＲＡＭ１１８は、画素信号データを記憶する。
【００３６】
画像処理部３０９は、制御部３０１によって制御され、ＳＤＲＡＭ１１８に記憶された画素信号データを取得して画像処理を行う。ここで画像処理とは、メモリカードに記録する形式（例えば、ＪＰＥＧ（Ｊｏｉｎｔ  Ｐｈｏｔｏｇｒａｐｈｉｃ  Ｅｘｐｅｒｔｓ  Ｇｒｏｕｐ）形式）に変換することであり、画素信号データは、値が大きいほど輝度が高いことを示すものとする。画像処理部３０９は、評価部３０３を備える。評価部３０３は、ＳＤＲＡＭ１１８に記憶された複数の画素信号データを取得し、画素信号データに基づいて、被写体像データの以下のような画像特性を算出する。
【００３７】
評価部３０３は、被写体像データのコントラストを算出する。ここでコントラストとは、最低輝度と最高輝度の差、すなわち画素信号データの最小値と画素信号データの最大値との差である。
【００３８】
評価部３０３は、被写体像データのヒストグラムを算出する。ここでヒストグラムは、横軸に輝度を取り、縦軸に画素数を取ることで、輝度に応じた各画素数の分布を示したグラフである。評価部３０３は、ヒストグラム表示を生成し、画像処理部３０９で被写体像データに重畳する。なお評価部３０３は、これら以外にも様々な画像特性を算出するとしてもよい。
【００３９】
評価部３０３は、コントラストの算出結果とヒストグラムの算出結果を含んだ評価データと、被写体像データと、をドライバ３０６に出力する。また画像処理部３０９は、制御部３０１から指示を受けた場合、被写体像データをメモリカードインタフェース３０７に出力する。
【００４０】
ここで、所定の白とび閾値以上である画素信号データは、白とびした画素信号データであるとする。また所定の黒つぶれ閾値以下である画素信号データは、黒つぶれした画素信号データであるとする。評価部３０３は、白とび閾値以上の画素信号データを、警告色（例えば、赤色、ゼブラパターン等）を示す画素信号データに置き換えて被写体像データとして出力する。警告色の表示については、図４で後述する。
【００４１】
ドライバ３０６は被写体像データを取得し、これを液晶パネル１１９で用いるデータフォーマットに変換して液晶パネル１１９に出力する。ドライバ３０６は評価データを取得し、これをインジケータ４００で用いるデータフォーマットに変換してインジケータ４００に出力する。
【００４２】
液晶パネル１１９は被写体像データを取得し、被写体像を表示する。インジケータ４００は評価データを取得し、評価データに含まれる算出結果を表示する。算出結果の表示ついては、図４から図５に後述する。なお、これらの算出結果は、液晶パネル１１９に重畳表示されてもよい。
【００４３】
メモリカードインタフェース３０７は、画像処理部３０９により生成された画像データ（被写体像データ）を、メモリカード１２１に記憶させる。メモリカード１２１は、例えば所謂フラッシュメディアであって、被写体像データを記憶する。なおメモリカード１２１は、デジタル一眼レフカメラ１１０から着脱させることができる記憶媒体であってもよい。またメモリカード１２１は、評価部３０３が出力した評価データを記憶するとしてもよい。
【００４４】
図２は、バルブシャッター撮影におけるフォーカルプレーンシャッター１１５のスライド動作を示した図である。図２（Ａ）に示すバルブシャッター撮影前の状態では、先幕１２４は完全に閉じ、後幕１２５は完全に開放している。完全に閉じた先幕１２４は入射光を完全に遮り、イメージセンサ１１６に被写体像を結像させない。
【００４５】
次に、制御部３０１は、レリーズ釦１２０から押下操作信号を通知されたとする。制御部３０１は、フォーカルプレーンシャッター１１５を制御することにより、先幕１２４を完全に開放する（図２（Ｂ））。後幕１２５が開放された状態のままであるため、イメージセンサ１１６は撮影光学系１０２からの入射光を遮るものが無い露出状態となる。このようにして、被写体像はイメージセンサ１１６に結像される。
【００４６】
次に、制御部３０１は、レリーズ釦１２０から解除操作信号を通知されたとする。制御部３０１は、フォーカルプレーンシャッター１１５を制御することにより、後幕１２５を完全に閉じさせる（図２（Ｃ））。完全に閉じた後幕１２５は入射光を完全に遮り、イメージセンサ１１６に被写体像を結像させない。
【００４７】
次に、制御部３０１は、フォーカルプレーンシャッター１１５を制御することにより、先幕１２４と後幕１２５とをバルブシャッター撮影前の状態に戻す（図２（Ａ））。バルブシャッター撮影において、イメージセンサ１１６にはこのようにして被写体像が露光される。
【００４８】
図３は、非破壊読み出しされるイメージセンサを用いたバルブシャッター撮影における、デジタル一眼レフカメラ（撮像装置）の動作手順を示したフローチャートである。バルブシャッター撮影において、制御部３０１は、レリーズ釦１２０からの押下操作信号を待つ。ここでレリーズ釦１２０は、ユーザによる押下操作を受け付け、押下操作信号を出力したとする（ステップＳ１）。
【００４９】
制御部３０１は、押下操作信号を通知されると、メインミラー１１１をアップ状態にする。また制御部３０１は、フォーカルプレーンシャッター１１５を制御する。これにより、先幕１２４は完全に開放し、後幕１２５も完全に開放したままとなる（ステップＳ２）。
【００５０】
次に、制御部３０１は、読出し周期設定値を読出部３０２に通知する。読出部３０２は、制御部３０１から通知された読出し周期設定値に応じて水平同期信号と垂直同期信号を生成し、これらの同期信号に同期してイメージセンサ１１６から画素信号を読み出す。読出部３０２は、読み出した画素信号をＡＤ変換し、システムバス３０８とＳＤＲＡＭインタフェース３０５とを介して、ＡＤ変換後の画素信号をＳＤＲＡＭ１１８に出力する（ステップＳ３）。
【００５１】
次に、画像処理部３０９は、ＳＤＲＡＭ１１８に記憶された画素信号データを取得して画像処理を行い、液晶パネル１１９に表示するための被写体像データを生成し、ＳＤＲＡＭ１１８に書き戻す。評価部３０３は、被写体像データのコントラストやヒストグラム等を算出し、算出結果をＳＤＲＡＭ１１８に記憶させる。なお、評価結果が重畳された被写体像データがＳＤＲＡＭ１１８に記憶されてもよい（ステップＳ４）。
【００５２】
次に、ドライバ３０６は被写体像データを取得し、これを液晶パネル１１９で用いられるデータフォーマットに変換して液晶パネル１１９に出力する。ドライバ３０６は、評価データを取得し、これをインジケータ４００で用いられるデータフォーマットに変換してインジケータ４００に出力する。
【００５３】
一方、液晶パネル１１９は、被写体像データを取得し、被写体像を表示する。ここで、被写体像データにヒストグラムが重畳されていてもよい。また、インジケータ４００は評価データを取得し、評価データに含まれる算出結果を表示する（ステップＳ５）。
【００５４】
次に、制御部３０１は、レリーズ釦１２０からの解放操作信号を待つ。解放操作信号を通知されなかった場合、制御部３０１は、ステップＳ３に戻る。制御部３０１は、解放操作信号を通知されると、ステップＳ７に進む（ステップＳ６）。
【００５５】
制御部３０１は、解放操作信号を通知されると、メインミラー１１１を光軸上に戻す。解除操作信号を通知された制御部３０１は、フォーカルプレーンシャッター１１５を制御する。これにより、先幕１２４は完全に開放し、後幕１２５は完全に閉じる。次に、先幕１２４と後幕１２５は、バルブシャッター撮影前の状態に戻る（ステップＳ７）。
【００５６】
制御部３０１は、解放操作信号を通知されると、被写体像データをメモリカードインタフェース３０７に出力するよう評価部３０３に指示する。メモリカードインタフェース３０７は、被写体像データをメモリカード１２１で用いられるデータフォーマットに変換し、メモリカード１２１に記憶させる（ステップＳ８）。
【００５７】
次に、算出結果の表示について説明する。図４は、バルブシャッター撮影における、インジケータ表示と警告表示を示した図である。図４において、液晶パネル１１９に被写体像として、被写体像（夜空）４１０と、被写体像（三日月）４１１と、被写体像（山）４１２と、が表示されているものとする。またインジケータ４００は、液晶パネル１１９に近接して配置され、白とび範囲４０１と、白とび警告範囲４０２と、最適露光範囲４０３と、中間露光範囲４０４と、黒つぶれ警告範囲４０５と、黒つぶれ範囲４０６と、コントラスト表示バー４０７と、を表示する。
【００５８】
インジケータ４００の各範囲は、所定の閾値によって予め区別された範囲である。例えば、白とび範囲４０１と白とび警告範囲４０２は、予め決められた所定の白とび閾値によって区別される。また、黒つぶれ警告範囲４０５と黒つぶれ範囲４０６は、予め決められた所定の黒つぶれ閾値によって区別される。インジケータ４００は、各閾値に基づいて各範囲を表示する。
【００５９】
被写体像データのコントラストは、コントラスト表示バー４０７によって表現される。コントラスト表示バー４０７の上端は、複数の画素信号データのうち最高輝度、すなわち複数の画素信号データのうち最大値を表す。また下端は、複数の画素信号データのうち最低輝度、すなわち複数の画素信号データのうち最小値を表す。インジケータ４００は、取得した評価データに含まれる画素信号データの最大値と最小値に基づいて、コントラスト表示バー４０７を表示する。
【００６０】
図４（Ａ）は、バルブシャッター撮影開始直後のため露光がまだ充分でなく、液晶パネル１１９の表示が全体的に暗い状態を示す。このため、コントラスト表示バー４０７の上端は、黒つぶれ警告範囲４０５と中間露光範囲４０４との境界にあり、コントラスト表示バー４０７の下端は、黒つぶれ範囲４０６にあるものとする。
【００６１】
図４（Ｂ）は、バルブシャッター撮影開始から所定の時間が経過し、最適な露光状態となったことを示す図である。このためコントラスト表示バー４０７の上端は、最適露光範囲４０３にあり、コントラスト表示バー４０７の下端は、中間露光範囲４０４にあるものとする。仮にこの状態で、レリーズ釦１２０がユーザによる解放操作を受け付けた場合、制御部３０１は、解除操作信号を通知され、フォーカルプレーンシャッター１１５を制御することで、白とびや黒つぶれのない被写体像データをメモリカード１２１に前述のように記憶させ、バルブシャッター撮影を終了する。
【００６２】
図４（Ｃ）は、バルブシャッター撮影開始から長時間が経過し、被写体像（三日月）４１１を示す画素の電荷が飽和に近い状態となったことを示す図である。このためコントラスト表示バー４０７の上端は、白とび警告範囲４０２にある被写体像（三日月）４１１を示すものとする。またコントラスト表示バー４０７の下端は、中間露光範囲４０４にあるものとする。評価部３０３は、白とび警告範囲４０２にある被写体像（三日月）４１１を、警告色（例えば、赤色、ゼブラパターン等）に置き換えて被写体像データとして出力する。このため被写体像（三日月）４１１は、警告色で液晶パネル１１９に表示される。
【００６３】
図５は、バルブシャッター撮影における、ヒストグラム表示を示した図である。前述のようにヒストグラム５０７は、横軸に輝度を取り、縦軸に画素数を取ることで、輝度に応じた各画素数の分布を示したグラフである。また、ヒストグラム表示範囲５００の各範囲は、所定の閾値によって予め区別された範囲である。すなわち、ヒストグラム表示範囲５００は、インジケータ４００に表示される情報に加え、輝度に応じた各画素数の分布を表示することができる。ヒストグラム表示範囲５００は、液晶パネル１１９に重畳表示される。なお、ヒストグラム表示範囲５００は、インジケータ４００に表示されるとしてもよい。またヒストグラム５０７は、縦軸に輝度を取り、横軸に画素数を取ってもよい。
【００６４】
以上、本発明の実施の形態により、デジタル一眼レフカメラ１１０がバルブシャッター撮影中にインジケータ４００や液晶パネル１１９の表示によって露光状態をユーザに通知するので、デジタル一眼レフカメラ１１０は、確実かつユーザにとって容易にバルブシャッター撮影を行うことができる。
【００６５】
なお、制御部３０１がバルブシャッター撮影中に露光状態を判定してもよい。この場合、予め設定された露光条件を満たすと、制御部３０１は解放操作信号によらずに撮影を終了させてもよい。例えば、画素信号データの最小値が所定の閾値以上となった場合、または所定の閾値に満たない画素信号データが存在しない場合、を露光条件とした場合、評価部３０３は、画素信号データの最小値と、画素信号データの最大値と、を制御部３０１に通知する。制御部３０１は、画素信号データと、露光条件を示す所定の閾値と、を比較し、露光条件を満たすと解放操作信号によらず前述の手順で撮影を終了させる。ここで、露光条件は操作部（図１に不図示）から制御部３０１に入力されるとしてもよい。
【００６６】
[第２の実施形態]
本発明を実施するための第２の実施形態について説明する。図６は、本発明の第２の実施形態のデジタル一眼レフカメラ（撮像装置）の構成を示した図である。当該デジタル一眼レフカメラ１００は、第１の実施形態のデジタル一眼レフカメラ１１０の構成に加え、操作部１２２と、加算部３０４と、を備える。さらに、当該デジタル一眼レフカメラ１００は、第１の実施形態のイメージセンサ１１６の代わりにイメージセンサ１２６を備える。
【００６７】
操作部１２２は、ユーザによる設定操作を受け付け、読出部３０２が画素信号を読み出す周期である読出し周期設定値を制御部３０１に通知する。制御部３０１は、操作部１２２から通知された読出し周期設定値を読出部３０２に通知する。なお操作部１２２は、読出し周期設定値以外の設定値、例えば露光条件を示す閾値等の入力を受け付けても良い。
【００６８】
イメージセンサ１２６は、キャパシタ（不図示）を含むトランジスタ回路（不図示）と、２次元状に配置された複数の画素（不図示）と、を備える。イメージセンサ１２６が備える画素（不図示）は、入射光量に応じた電荷を生じさせることで画素信号を出力する。
【００６９】
イメージセンサ１２６が備えるキャパシタ（不図示）は、読出部３０２によってリセット操作された場合、画素（不図示）に生じた電荷をリセットする。読出部３０２は、フォーカルプレーンシャッター１１５の開放中に、読出し周期設定値によって決まる読出し周期でキャパシタ（不図示）をリセット操作する。
【００７０】
イメージセンサ１２６は、例えばＣＣＤセンサであって、画素から画素信号を出力した場合、電荷をそのまま画素に保持することができない（以下、破壊読み出しと称する）。したがって読出部３０２は、読出し周期設定値によって決まる読出し周期で画素信号を破壊読み出し後、フォーカルプレーンシャッター１１５の開放中にキャパシタ（不図示）をリセット操作する。このため、イメージセンサ１２６において、読出し周期と、画素の露光時間と、は等しい。ここで制御部３０１は、操作部１２２から読出し周期設定値を通知されない場合には、予め初期値として記憶された所定の読出し周期設定値を読出部３０２に通知してもよい。
【００７１】
読出部３０２は、制御部３０１から通知された読出し周期設定値に応じて水平同期信号と垂直同期信号を生成し、これらの同期信号に同期してイメージセンサ１１６から画素信号を読み出す。読出部３０２は、フォーカルプレーンシャッター１１５の開放中に、読出し周期設定値によって決まる読出し周期でキャパシタ（不図示）をリセット操作する。読出部３０２は、読み出した画素信号をＡＤ変換し、システムバス３０８とＳＤＲＡＭインタフェース３０５とを介して、ＡＤ変換後の画素信号をＳＤＲＡＭ１１８に出力する。
【００７２】
画像処理部３０９は、制御部３０１によって制御され、ＳＤＲＡＭ１１８に記憶された画素信号データを取得して画像処理を行う。ここで画素信号データは、値が大きいほど輝度が高いことを示すものとする。
【００７３】
前述のように、イメージセンサ１２６は、画素から画素信号を出力した場合、電荷をそのまま画素に保持することができない。このため画像処理部３０９は、評価部３０３のほかに、加算部３０４を備える。加算部３０４は、ＳＤＲＡＭ１１８に記憶された画素信号データを取得し、同じ画素から複数回出力された画素信号データを累積加算して、被写体像データを生成する。
【００７４】
評価部３０３は、累積加算処理された被写体像データを評価し、第１の実施形態と同様に、コントラストやヒストグラム等を算出する。また、他のブロックの動作は第１の実施形態と同様である。
【００７５】
図７は、破壊読み出しされるイメージセンサを用いたバルブシャッター撮影における、デジタル一眼レフカメラ（撮像装置）の動作手順を示したフローチャートである。バルブシャッター撮影において、制御部３０１は、レリーズ釦１２０からの押下操作信号を待つ。ここでレリーズ釦１２０は、ユーザによる押下操作を受け付け、押下操作信号を出力したとする（ステップＳａ１）。
【００７６】
制御部３０１は、押下操作信号を通知されると、読出し周期設定値を読出部３０２に通知する。なお、読出し周期設定値は、予め決められた設定値、または操作部１２２から入力された設定値でもよい（ステップＳａ２）。
【００７７】
次に、制御部３０１は、メインミラー１１１をアップ状態にする。また制御部３０１は、フォーカルプレーンシャッター１１５を制御する。これにより、先幕１２４は完全に開放する。また、後幕１２５も完全に開放したままとなる（ステップＳａ３）。
【００７８】
読出部３０２は、制御部３０１から通知された読出し周期設定値に応じて水平同期信号と垂直同期信号を生成し、これらの同期信号に同期してイメージセンサ１１６から画素信号を読み出す。さらに読出部３０２は、キャパシタ（不図示）をリセット操作する。読出部３０２は、読み出した画素信号をＡＤ変換し、システムバス３０８とＳＤＲＡＭインタフェース３０５とを介して、ＡＤ変換後の画素信号をＳＤＲＡＭ１１８に出力する（ステップＳａ４）。
【００７９】
次に、加算部３０４は、ＳＤＲＡＭ１１８に記憶された画素信号データを取得し、同じ画素から複数回出力された画素信号データを累積加算する（ステップＳａ５）。
【００８０】
画像処理部３０９は、累積加算処理された複数の画素信号データを取得し、画素信号データを画像処理することによって、表示するための被写体像データを作成する。ここで評価部３０３は、被写体像データにヒストグラムを重畳する。ドライバ３０６は被写体像データを取得し、これを液晶パネル１１９で用いられるデータフォーマットに変換して液晶パネル１１９に出力する。液晶パネル１１９は、被写体像データを取得し、被写体像を表示する。
【００８１】
一方、ドライバ３０６は、評価データを取得し、これをインジケータ４００で用いられるデータフォーマットに変換してインジケータ４００に出力する。インジケータ４００は評価データを取得し、評価データに含まれる算出結果を表示する（ステップＳａ６）。
【００８２】
次に、制御部３０１は、レリーズ釦１２０からの解放操作信号を待つ。解放操作信号を通知されると、制御部３０１はステップＳ３に戻る。一方、解放操作信号を通知されると、制御部３０１はステップＳａ８に進む（ステップＳａ７）。
【００８３】
次に、レリーズ釦１２０は、解放操作信号を出力したとする。制御部３０１は、解放操作信号を通知されると、メインミラー１１１を光軸上に戻す。さらに制御部３０１は、フォーカルプレーンシャッター１１５を制御する。これにより、先幕１２４は完全に開放し、後幕１２５は完全に閉じる。その後、先幕１２４と後幕１２５は、バルブシャッター撮影前の状態に戻る。
【００８４】
また制御部３０１は、被写体像データをメモリカードインタフェース３０７に出力するよう画像処理部３０９に指示する。メモリカードインタフェース３０７は、被写体像データをメモリカード１２１で用いられるデータフォーマットに変換し、メモリカード１２１に記憶させる（ステップＳａ８）。
【００８５】
以上、本発明の実施の形態により、デジタル一眼レフカメラ１１０がバルブシャッター撮影中にインジケータ４００や液晶パネル１１９の表示によって露光状態をユーザに通知するので、デジタル一眼レフカメラ１１０は、確実かつユーザにとって容易にバルブシャッター撮影を行うことができる。なお前述したように、制御部３０１はバルブシャッター撮影中に露光状態を判定し、予め設定された露光条件を満たすと解放操作信号によらず前述の手順で撮影を終了させるとしてもよい。
【００８６】
以上、この発明の実施形態について図面を参照して詳述してきたが、具体的な構成はこの実施形態に限られるものではなく、この発明の要旨を逸脱しない範囲の設計等も含まれる。
【００８７】
例えば、フォーカルプレーンシャッター１１５は、電子シャッターなど他の方式のシャッターでもよい。
【００８８】
また、本発明に記載の撮像装置は、デジタル一眼レフカメラ１００と、デジタル一眼レフカメラ１１０と、に対応し、光学部は、交換レンズ筐体１０１と、撮影光学系１０２と、メインミラー１１１と、フォーカルプレーンシャッター１１５と、に対応し、撮像部は、画素（不図示）と、イメージセンサ１１６と、イメージセンサ１２６と、読出部３０２と、に対応し、加算部は、加算部３０４と、画素（不図示）と、イメージセンサ１１６と、イメージセンサ１２６と、画像処理部３０９と、に対応し、評価部は、評価部３０３と、制御部３０１と、画像処理部３０９と、に対応し、輝度表示部は、インジケータ４００と、液晶パネル１１９と、ドライバ３０６と、に対応し、被写体像表示部は、液晶パネル１１９と、ドライバ３０６と、に対応し、操作部は、操作部１２２に対応し、画素は、画素（不図示）に対応する。
【産業上の利用可能性】
【００８９】
本発明は、バルブシャッター撮影を行うデジタル一眼レフカメラに好適である。
【符号の説明】
【００９０】
１００…デジタル一眼レフカメラ  １０１…交換レンズ筐体  １０２…撮影光学系  １１０…デジタル一眼レフカメラ  １１１…メインミラー  １１２…フォーカシングスクリーン  １１３…ペンタプリズム  １１４…接眼レンズ  １１５…フォーカルプレーンシャッター  １１８…ＳＤＲＡＭ  １１９…液晶パネル  １２０…レリーズ釦  １２１…メモリカード  １２２…操作部  １２３…光学ファインダ  １２４…先幕  １２５…後幕  １２６…イメージセンサ  ３０１…制御部  ３０２…読出部  ３０３…評価部  ３０４…加算部  ３０５…ＳＤＲＡＭインタフェース  ３０６…ドライバ  ３０７…メモリカードインタフェース  ３０８…システムバス  ３０９…画像処理部  ４００…インジケータ  ４０１…白とび範囲  ４０２…白とび警告範囲  ４０３…最適露光範囲  ４０４…中間露光範囲  ４０５…黒つぶれ警告範囲  ４０６…黒つぶれ範囲  ４０７…コントラスト表示バー  ５００…ヒストグラム表示範囲  ５０１…白とび範囲  ５０２…白とび警告範囲  ５０３…最適露光範囲  ５０４…中間露光範囲  ５０５…黒つぶれ警告範囲  ５０６…黒つぶれ範囲  ５０７…ヒストグラム
【図１】
2010200097.tif 000003
【図２】
2010200097.tif 000004
【図３】
2010200097.tif 000005
【図４】
2010200097.tif 000006
【図５】
2010200097.tif 000007
【図６】
2010200097.tif 000008
【図７】
2010200097.tif 000009